【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
複数の連結板装填部形成部材から成る連結板支持部材が備える連結板装填部に、連結板を装填することにより構築される連結構築物であって、
前記連結板装填部は、連結板挿入用口と、連結板挿入用スペースと、連結板スライド用溝とを有し、
前記連結板挿入用口は、前記連結板を挿入する為の入口であり、前記連結板支持部材の外側面に開口し、
前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、前記連結板挿入用口と反対側の位置に行き止まりとなる壁を備え、
前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、
前記第一の壁または前記第二の壁は、前記連結板の装填時に前記連結板の少なくとも一部が通過する位置に連結板嵌合用凸部を備え、
前記連結板は、板状で、第一の面、第二の面、挿入時前方部、挿入時後方部、挿入時側方部と連結板支持部材用嵌合部を有し、変形能と復元能を備え、
前記第一の面と前記第二の面は、表裏の関係となる面であり、
前記第一の面は、前記連結板挿入用スペースへ前記連結板を挿入した状態において、前記第一の壁の側に位置して、前記第一の壁に対向し、
前記第二の面は、前記連結板挿入用スペースへ前記連結板を挿入した状態において、前記第二の壁の側に位置して、前記第二の壁に対向し、
前記挿入時前方部は、前記連結板が前記連結板挿入用スペースにスライド式に挿入される際に前方となる部分であり、
前記挿入時後方部は、前記連結板が前記連結板挿入用スペースにスライド式に挿入される際に後方となる部分であり、
前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、
前記連結板支持部材用嵌合部は、前記連結板嵌合用凸部と嵌合する為の切欠部、孔または凹部を有し、
前記連結板支持部材用嵌合部が有する前記切欠部、前記孔または前記凹部は、前記挿入時前方部と前記挿入時後方部の間の中間もしくは中間付近であり、両側の前記挿入時側方部または前記挿入時側方部の近傍となる位置にそれぞれ存在し、
前記連結板装填部は、前記連結板を前記連結板装填部に装填した状態において、前記連結板の前記挿入時後方部が位置する側に前記連結板挿入用口を有し、前記連結板の前記挿入時前方部が位置する側に前記行き止まりとなる壁を有し、
前記行き止まりとなる壁は、前記連結板装填部に装填された前記連結板が、前記挿入時前方部の側から前記連結板挿入用口に向けて押し出して取り出されること妨げる為の壁であり、
前記第一の壁または前記第二の壁のどちらか一方は、両側の前記連結板スライド用溝の間の中間または中間付近の位置に隆起する隆起部を備え、
前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝、前記連結板嵌合用凸部および前記隆起部は設けられており、
前記連結板嵌合用凸部は、前記連結板挿入用口と前記行き止まりとなる壁の間の中間もしくは中間付近の位置、であり、前記第一の壁が前記隆起部を備えている場合には前記連結板挿入用スペースの両側の前記連結板スライド用溝の底または底近くの前記第二の壁の側の互いに対向する位置、あるいは、前記第二の壁が前記隆起部を備えている場合には前記連結板挿入用スペースの両側の前記連結板スライド用溝の底または底近くの前記第一の壁の側の互いに対向する位置、にそれぞれ存在し、
前記連結板支持部材用嵌合部と前記連結板嵌合用凸部は、互いに嵌合する位置において、前記連結板の前記復元能により嵌合し、
前記複数の連結板装填部形成部材の中の２つの連結板装填部形成部材は、それぞれ、互いに合わせる為の合せ面を備え、
前記２つの連結板装填部形成部材の一方は、前記連結板挿入用口と、前記連結板嵌合用凸部の一部を有し、
前記２つの連結板装填部形成部材の他方は、前記行き止まりとなる壁と、前記連結板嵌合用凸部の残りの一部を有し、
前記連結板装填部は、前記２つの連結板装填部形成部材がそれぞれ備える前記合せ面で互いに合わされることにより形成され、
前記２つの連結板装填部形成部材により形成される前記連結板装填部に、前記連結板を挿入して装填することにより、前記連結板支持部材用嵌合部が有する前記切欠部、前記孔または前記凹部に、前記連結板嵌合用凸部が嵌合し、前記連結板が、前記２つの連結板装填部形成部材を連結し、
前記連結板装填部に装填された状態の前記連結板は、指で前記連結板をつかんで前記連結板挿入用口から引っ張り出す為のつかみしろを有さない
ことを特徴とする連結構築物。
【請求項２】
複数の連結板装填部形成部材から成る連結板支持部材が備える連結板装填部に、連結板を装填することにより構築される連結構築物であって、
前記連結板装填部は、連結板挿入用口と、連結板挿入用スペースと、連結板スライド用溝とを有し、
前記連結板挿入用口は、前記連結板を挿入する為の入口であり、前記連結板支持部材の外側面に開口し、
前記連結板挿入用スペースは、前記連結板挿入用口に続く位置に存在し、前記連結板をスライド式に挿入して収納する為の空間であり、二つの向かい合う壁である第一の壁と第二の壁の間の間隙であり、前記連結板挿入用口と反対側の位置に行き止まりとなる壁を備え、
前記連結板スライド用溝は、前記第一の壁と前記第二の壁の間の両側に存在する側方の溝部分であり、前記連結板挿入用スペースの両側に存在し、前記連結板を前記連結板挿入用スペースに挿入する際に前記連結板が沿う為の溝であり、
前記第一の壁または前記第二の壁は、前記連結板の装填時に前記連結板の少なくとも一部が通過する位置に連結板嵌合用凸部を備え、
前記連結板は、板状で、第一の面、第二の面、挿入時前方部、挿入時後方部、挿入時側方部と連結板支持部材用嵌合部を有し、変形能と復元能を備え、
前記第一の面と前記第二の面は、表裏の関係となる面であり、
前記第一の面は、前記連結板挿入用スペースへ前記連結板を挿入した状態において、前記第一の壁の側に位置して、前記第一の壁に対向し、
前記第二の面は、前記連結板挿入用スペースへ前記連結板を挿入した状態において、前記第二の壁の側に位置して、前記第二の壁に対向し、
前記挿入時前方部は、前記連結板が前記連結板挿入用スペースにスライド式に挿入される際に前方となる部分であり、
前記挿入時後方部は、前記連結板が前記連結板挿入用スペースにスライド式に挿入される際に後方となる部分であり、
前記挿入時側方部は、前記第一の面と前記第二の面の間で前記挿入時前方部と前記挿入時後方部の間となる側方部分で、前記連結板が前記連結板挿入用スペースにスライド式に挿入される際に、両側の前記連結板スライド用溝の中に位置する部分であり、
前記連結板支持部材用嵌合部は、前記連結板嵌合用凸部と嵌合する為の孔または凹部を有し、
前記連結板支持部材用嵌合部が有する前記孔または前記凹部は、前記挿入時前方部と前記挿入時後方部の間の中間もしくは中間付近であり、両側の前記挿入時側方部の間の中間もしくは中間付近となる位置に存在し、
前記連結板装填部は、前記連結板を前記連結板装填部に装填した状態において、前記連結板の前記挿入時後方部が位置する側に前記連結板挿入用口を有し、前記連結板の前記挿入時前方部が位置する側に前記行き止まりとなる壁を有し、
前記行き止まりとなる壁は、前記連結板装填部に装填された前記連結板が、前記挿入時前方部の側から前記連結板挿入用口に向けて押し出して取り出されること妨げる為の壁であり、
前記第一の壁または前記第二の壁のどちらか一方は、両側の前記連結板スライド用溝の間の中間または中間付近の位置であり、前記連結板挿入用口と前記行き止まりとなる壁の間の中間もしくは中間付近の位置に、隆起する隆起部を備え、
前記隆起部が、前記連結板嵌合用凸部でもあり、
前記連結板支持部材用嵌合部と前記連結板嵌合用凸部が互いに嵌合する位置まで、前記連結板を前記連結板挿入用口から前記連結板挿入用スペースに挿入する際に、前記連結板が前記変形能により前記連結板嵌合用凸部を避けて、前記連結板の両側の前記挿入時側方部の間の部分が前記挿入時側方部に対して前記第一の面側に凸状または凹状に変形するように、両側の前記連結板スライド用溝および前記連結板嵌合用凸部は設けられており、
前記連結板支持部材用嵌合部と前記連結板嵌合用凸部は、互いに嵌合する位置において、前記連結板の前記復元能により嵌合し、
前記複数の連結板装填部形成部材の中の２つの連結板装填部形成部材は、それぞれ、互いに合わせる為の合せ面を備え、
前記２つの連結板装填部形成部材の一方は、前記連結板挿入用口と、前記連結板嵌合用凸部の一部を有し、
前記２つの連結板装填部形成部材の他方は、前記行き止まりとなる壁と、前記連結板嵌合用凸部の残りの一部を有し、
前記連結板装填部は、前記２つの連結板装填部形成部材がそれぞれ備える前記合せ面で互いに合わされることにより形成され、
前記２つの連結板装填部形成部材により形成される前記連結板装填部に、前記連結板を挿入して装填することにより、前記連結板支持部材用嵌合部が有する前記孔または前記凹部に、前記連結板嵌合用凸部が嵌合し、前記連結板が、前記２つの連結板装填部形成部材を連結すし、
前記連結板装填部に装填された状態の前記連結板は、指で前記連結板をつかんで前記連結板挿入用口から引っ張り出す為のつかみしろを有さない
ことを特徴とする連結構築物。
【請求項３】
前記２つの連結板装填部形成部材の有する前記合せ面の少なくとも一方は、陥凹部を有する
ことを特徴とする請求項１または請求項２記載の連結構築物。
【請求項４】
前記陥凹部を有する連結板装填部形成部材は、更に貫通孔を有し、前記貫通孔は、前記陥凹部と外側面とを連絡する位置にある
ことを特徴とする請求項３記載の連結構築物。
【請求項５】
前記２つの連結板装填部形成部材が、蝶番で連結されている
ことを特徴とする請求項３記載の連結構築物。
【請求項６】
前記２つの連結板装填部形成部材の有する前記合せ面は、それぞれ外側面に至る貫通孔を有する
ことを特徴とする請求項１または請求項２記載の連結構築物。
【請求項７】
前記連結構築物が身飾用具である
ことを特徴とする請求項１または請求項２記載の連結構築物。
【請求項８】
前記２つの連結板装填部形成部材の内の少なくともどちらか一つの連結板装填部形成部材が、透明性か、あるいは前記合せ面から外側面に到る貫通孔を有しており、前記連結構築物が写真立てである
ことを特徴とする請求項１または請求項２記載の連結構築物。
【請求項９】
前記連結構築物がお守り札である
ことを特徴とする請求項１または請求項２記載の連結構築物。
【請求項１０】
前記２つの連結板装填部形成部材の内の少なくともどちらか一つの連結板装填部形成部材が、透明性か、あるいは前記合せ面から外側面に到る貫通孔を有しており、前記連結構築物が名札である
ことを特徴とする請求項１または請求項２記載の連結構築物。
【請求項１１】
請求項１記載の連結板装填部形成部材であって、前記２つの連結板装填部形成部材のうちの前記一方の連結板装填部形成部材。
【請求項１２】
請求項１記載の連結板装填部形成部材であって、前記２つの連結板装填部形成部材のうちの前記他方の連結板装填部形成部材。
【請求項１３】
請求項２記載の連結板装填部形成部材であって、前記２つの連結板装填部形成部材のうちの前記一方の連結板装填部形成部材。
【請求項１４】
請求項２記載の連結板装填部形成部材であって、前記２つの連結板装填部形成部材のうちの前記他方の連結板装填部形成部材。
【請求項１５】
前記連結板装填部形成部材の有する前記合せ面は、陥凹部を有する
ことを特徴とする請求項１１、請求項１２、請求項１３または請求項１４記載の連結板装填部形成部材。
【請求項１６】
前記陥凹部を有する連結板装填部形成部材は、更に貫通孔を有し、前記貫通孔は、前記陥凹部と外側面とを連絡する位置にある
ことを特徴とする請求項１５記載の連結板装填部形成部材。